(57)【要約】      （修正有）【課題】  動画静止画同時撮影を、簡易な制御、簡易な操作で実現する。【解決手段】  動画、静止画用に共通の撮像素子を用い、動画撮影中に間欠的に静止画を自動記録する。装置が大型になることなく、動画撮影中に静止画撮影トリガを操作せず簡便に静止画撮影をするようにした。【選択図】  図１
2006174025.tif 000002
【特許請求の範囲】
【請求項１】
動画静止画同時記録可能な撮像記録再生装置であって、以下の特徴を有する。撮像手段の信号を、ディジタル撮像信号に変換し、該ディジタル撮像信号から動画データを生成して、該動画データを第一の記録手段に記録する。
該ディジタル撮像信号から、静止画データを生成して、該静止画データを第二の記録手段に記録する。
該ディジタル撮像信号から該動画データを生成して該第一の記録手段に記録している間、該ディジタル撮像信号から該静止画データを生成して該第二の記録手段に記録する動作を間欠的に行う。
【請求項２】
動画静止画同時記録可能な撮像記録再生装置であって、以下の特徴を有する。
撮像手段の信号を、ディジタル撮像信号に変換し、該ディジタル撮像信号から動画データを生成して、該動画データを記録手段に記録する。
該ディジタル撮像信号から、静止画データを生成して、該静止画データを該記録手段に記録する。
該ディジタル撮像信号から該動画データを生成して該記録手段に記録している間、該ディジタル撮像信号から該静止画データを生成して該記録手段に記録する動作を間欠的に行う。
【請求項３】
該動画データを記録する際、画面内符号化により符号化した画像を記録するときに限り、該動画データと同時に該撮像手段から出力された信号から該静止画データを生成して記録する動作を行うことを特徴とする請求項１又は２記載の動画静止画同時記録可能な撮像記録再生装置。
【請求項４】
該動画データを記録する際、画面内符号化により符号化した画像を記録するときに限り、該動画データと同時に該撮像手段から出力された信号から該静止画データを生成して記録する時間間隔を、該ディジタル撮像信号の既定の時間間隔に生ずる動き量に応じて決定することを特徴とする請求項１又は２記載の動画静止画同時記録可能な撮像記録再生装置。
【請求項５】
該動画データを記録する際、画面内符号化により符号化した画像を記録するときに限り、該動画データと同時に該撮像手段から出力された信号から該静止画データを生成して記録する時間間隔を、該動画データを記録する際に画面内符号化を行う間隔に応じて決定することを特徴とする請求項１又は２記載の動画静止画同時記録可能な撮像記録再生装置。
【請求項６】
該動画データの再生中に一時停止する際、画面内符号化により符号化した画像を表示して停止し、該一時停止中に印刷を指示すると、該一時停止した画像と同時刻に、あるいは極めて近い時刻に記録した該静止画データを検索して表示した後に、該静止画データを印刷することを特徴とする請求項１又は２記載の動画静止画同時記録可能な撮像記録再生装置。
【請求項７】
該画面内符号化により符号化した画像がＭＰＥＧのＩピクチャであることを特徴とする請求項３乃至６記載の動画静止画同時記録可能な撮像記録再生装置。
【請求項８】
該画面内符号化を行う間隔がＭＰＥＧのＧＯＰ長であることを特徴とする請求項５載の動画静止画同時記録可能な撮像記録再生装置。
【請求項９】
該動画データと同時に該静止画データを記録する際、該動画データと同時に該静止画データを該第一の記録手段に記録し、該動画データの記録が中断したときに、該第一の記録手段に記録した該静止画データを該第二の記録手段に移動させることを特徴とする請求項１記載の動画静止画同時記録可能な撮像記録再生装置。
【発明の詳細な説明】
【技術分野】
【０００１】
本発明は、ＣＣＤ等の撮像手段の信号を動画及び静止画として圧縮してテープ、ディスク、メモリカード等の記録手段に記録し、また、テープ、ディスク、メモリカード等の記録手段に記録した信号を伸張して再生する動画静止画同時記録可能な撮像記録再生装置に関する。
【背景技術】
【０００２】
従来動画静止画同時記録可能な撮像記録再生装置では、特開２０００−２０１２８８にあるように、動画用、静止画用に独立して撮像素子を有している。
【特許文献１】特開２０００−２０１２８８号公報
【発明の開示】
【発明が解決しようとする課題】
【０００３】
しかしながら、上記従来例においては、動画用、静止画用に独立して撮像素子を有しているために、装置が大型になってしまうという問題点があった。
【課題を解決するための手段】
【０００４】
本発明では、上記問題点に鑑み、動画、静止画用に共通の撮像素子を用い、動画撮影中に間欠的に静止画を自動記録することで、装置が大型になることなく、かつ、動画撮影中に静止画撮影トリガを操作せず簡便に静止画撮影するようにしたものである。
【発明の効果】
【０００５】
本発明では、請求項１、請求項２にあるように、動画静止画同時記録可能な撮像記録再生装置において、動画記録中に間欠的に静止画を自動記録することにより、動画撮影中に静止画記録トリガを押す必要がなくなる。よって、トリガ押印による動画のブレをなくすことができる。
【０００６】
また請求項３にあるように、動画データでＭＰＥＧのＩピクチャを記録するときに限り、静止画データを記録することにより、フレーム間の復号を必要としない簡易な動作で動画を一時停止したとき、その動画と同時刻の静止画を検索することができる。
【０００７】
また請求項４にあるように、動画データでＭＰＥＧのＩピクチャを記録するときに限り、静止画データを記録するが、静止画記録間隔を動画の動き量に応じて決定することにより、動きの多い場面では頻繁に静止画を記録し、全てのＩピクチャで静止画を記録するわけではない。このことにより、静止画データを無駄に増やすことなく、本当の欲しい場面での静止画を撮影できる確率を高めることができる。
【０００８】
また請求項５にあるように、動画データでＭＰＥＧのＩピクチャを記録するときに限り、静止画データを記録するが、静止画データを記録する時間間隔を、ＧＯＰの長さに応じて決定することにより、カメラ処理系で動き検出回路を具備することなく、静止画データを無駄に増やすことなく、本当に欲しい場面での静止画を撮影できる確率を高めることができる。
【０００９】
また請求項６にあるように、動画再生中に一時停止する際、ＭＰＥＧのＩピクチャを表示して一時停止し、一時停止中に印刷を指示すると、一時停止画像と同時刻に、あるいは最も近い時刻に記録した静止画を検索して表示した後に、静止画データを印刷することにより、動画を静止画に差し替える際、静止画を検索して復号した後、縮小して表示するといったＣＰＵにとって負荷の重い処理を印刷時のみに行うので、静止画の確認を簡易に行うことができる。
【００１０】
また請求項９にあるように、動画データと同時に静止画データを記録する際、動画データと静止画データを同時に同一の記録媒体に記録し、動画の記録が中断したときに、静止画データを動画と別媒体に移動させることにより、静止画のスムーズな記録とＣＰＵの負荷の分散化を実現したものである。
【発明を実施するための最良の形態】
【００１１】
（第一の実施例）
本発明の第一の実施例の適用例を図１に示す。レンズ１を通過し、電荷結合素子（ＣＣＤ）２で光電変換された映像信号は、前処理回路３でノイズ除去、利得調整等の処理を行い、アナログ−ディジタル（ＡＤ）変換器４でＡＤ変換を行う。動画処理系では、画面縮小回路５で、フィルタリングにより画面を縮小してＴＶフォーマットに適した大きさにする。動画処理回路６で動画に適したアパーチャ補正、ガンマ補正、ホワイトバランス等の撮像系の信号処理を行う。動画処理回路６の出力信号は、ディジタル−アナログ（ＤＡ）変換器７でアナログ信号に変換し、付属モニタ８に撮影中の画像を表示する。
【００１２】
一方、静止画処理系ではＡＤ変換器４の出力を静止画処理回路９に送り、静止画に適したアパーチャ補正、ガンマ補正、ホワイトバランス等の撮像系の信号処理を行う。静止画をモニタ８に表示する際には、静止画処理回路９の出力をデータバス２５を介して画面縮小回路５に送り、フィルタリングにより画面を縮小してＴＶフォーマットに適した大きさにした後、ＤＡ変換器７でアナログ信号に変換し、付属モニタ８で画像を表示する。
【００１３】
ＣＣＤ２で光電変換した映像信号を記録する際には、動画処理回路６からデータバス２５を通じて、バッファメモリ１０に一旦信号を書き込み、続いてバッファメモリ１０から順次信号を読み出し、データバス２５を通じて動画圧縮・伸張処理回路１１に信号を送り、動画信号を記録するためのＭＰＥＧ等の圧縮処理を行った後、ディスクインターフェイス回路１３に送られ、圧縮したデータをディスク１４に記録するための処理をする。ディスクドライバ１５で、不図示のディスクモータの制御等を行いつつディスク１４に記録する。
【００１４】
静止画の記録の際は、静止画処理回路９からデータバス２５を通じて、バッファメモリ１０に一旦信号を書き込み、続いてバッファメモリ１０から順次信号を読み出し、データバス２５を通じて静止画圧縮・伸張処理回路１２に信号を送り、静止画信号を記録するためのＪＰＥＧ等の圧縮処理を行ったのち、カードインターフェイス回路１６に送られ、圧縮したデータをメモリカード１７に記録するための処理をする。カードドライバ１８で、メモリカード１７のアドレス制御等を行いつつメモリカード１７に記録する。
【００１５】
ディスク１４のデータを再生する場合には、ディスクドライバ１５を駆動して、ディスク１４から信号を読み出し、ディスクインターフェイス回路１３で動画圧縮・伸張処理回路１１に送るための処理を行い、データバス２５を介して、動画圧縮・伸張処理回路１１に送り、記録時に圧縮したデータを伸張する。伸張した信号はバッファメモリ１０に格納された後、データバス２５を介して、動画処理回路６に送られ、ブランキング付加、色変調等を施し、ＤＡ変換器７でディジタル−アナログ（ＤＡ）変換を行い、付属モニタ８に再生画像を表示する。
【００１６】
メモリカード１７のデータを再生する場合には、カードドライバ１８を駆動して、メモリカード１７から信号を読み出し、カードインターフェイス回路１６で静止画圧縮・伸張処理回路１２に送るための処理を行い、データバス２５を介して、静止画圧縮・伸張処理回路１２に送り、記録時に圧縮したデータを伸張する。伸張した信号はバッファメモリ１０に格納された後、データバス２５を介して、画面縮小回路５で画像サイズを縮小して動画処理回路６に送られ、ブランキング付加、色変調等を施し、ＤＡ変換器７でディジタル−アナログ（ＤＡ）変換を行い、付属モニタ８に再生画像を表示する。
【００１７】
メモリカード１７のデータを印刷する場合には、カードドライバ１８を駆動して、メモリカード１７から信号を読み出し、カードインターフェイス回路１６で静止画圧縮・伸張処理回路１２に送るための処理を行い、データバス２５を介して静止画圧縮・伸張処理回路１２に送り、記録時に圧縮したデータを伸張する。伸張した信号はバッファメモリ１０に格納された後、データバス２５を介して、印刷画像生成回路２１に送り、色変換（例えばＹ／Ｒ−Ｙ／Ｂ−ＹからＣ／Ｍ／Ｙ／Ｋへ）、階調変換等の印刷のための処理を行い、データをヘッドドライバ２２に送る。このとき、モータドライバ２３を駆動して紙送りモータ２４を回転させ、印刷動作を行う。
【００１８】
図７は静止画、動画の画像サイズを表している。動画用の画像サイズは、ＶＧＡと呼ばれ、横６４０、縦４８０の画素を持つ。静止画用の画像サイズの一例としてＸＧＡと呼ばれるものがあり、横１０２４、縦７６８の画素を持つ。なお、動画、静止画共に画素数はこれらに限定されるわけではない。図１のＣＣＤ２は、静止画用に対応しうる多画素サイズであり、この実施例では、ＸＧＡ対応で横１０２４、縦７６８の有効画素を持ち、毎フィールド、或いは毎フレームで全ての画素を読み出す。画面縮小回路５では、図７のＸＧＡの画像をＶＧＡサイズに縮小している。
【００１９】
図３は、ＭＰＥＧでの動画圧縮時の画像構成を示している。圧縮の際の構成単位をＧＯＰ（Ｇｒｏｕｐ  Ｏｆ  Ｐｉｃｔｕｒｅ）と呼び、複数枚のフレームからなる。一つのＧＯＰはＮ枚のフレームからなり、自分自身以外の参照画像を必要としないＩピクチャ、前のＩピクチャ又はＰピクチャから順方向予測されるＰピクチャ、及び、前後のＩピクチャ又はＰピクチャから双方向予測されるＢピクチャ、の３種類のピクチャからなる。
【００２０】
ここで、１ＧＯＰ内でＩピクチャ又はＰピクチャの現れる周期を表す数をＭパラメータ、１ＧＯＰを構成するフレーム数を表す数をＮパラメータと呼ぶ。図３はＭ＝３，Ｎ＝１２としたときのＧＯＰ構造の例を示している。
【００２１】
図４に示すように、動画記録においてＩピクチャ記録する際には、図１のＣＰＵ（Ｃｅｎｔｒａｌ  Ｐｒｏｃｅｓｓｉｎｇ  Ｕｎｉｔ）２０で識別信号ＩＦＲＡＭＥを“Ｈｉ”にし、これを静止画処理回路９、静止画圧縮・伸張処理回路１２、カードインターフェイス回路１６、メモリカード１７、カードドライバ１８に送る。識別信号ＩＦＲＡＭＥが“Ｈｉ”のときのみ、これらの回路をＣＰＵ２０の命令で動作させ、図７に示したＸＧＡ静止画を記録する。
【００２２】
ＸＧＡ静止画は、上述のように全てのＩピクチャ記録時に記録してもよいが、データ量がカード１７の記録容量をすぐ越えてしまう場合は、一部のＩピクチャ記録時にのみ静止画を記録してもよい。
【００２３】
動き検出回路２６でフレーム間、もしくはフィールド間の動きベクトルｋを算出し、ＣＰＵ２０に送る。ｋの値によって、静止画を記録するＩピクチャの間隔を制御する。
【００２４】
図５にタイムチャートを示す。なお、１ＧＯＰの長さは固定とする。ＩＦＲＡＭＥ信号、動きベクトルの値ｋをＣＰＵ２０に送り、Ｉピクチャ記録中、静止画を記録すべきフレームであれば、ＳＴＩＬＬ＿ＲＥＣを“Ｈｉ”にして、静止画処理回路９、静止画圧縮・伸張処理回路１２、カードインターフェイス回路１６、メモリカード１７、カードドライバ１８に送る。識別信号ＳＴＩＬＬ＿ＲＥＣが“Ｈｉ”のときのみ、これらの回路をＣＰＵ２０の命令で動作させ、図７に示したＸＧＡ静止画を記録する。図５に示す例では、
ｎ１≦ｋ＜ｎ２のとき４フレーム毎
ｎ２≦ｋ＜ｎ３のとき３フレーム毎
ｎ３≦ｋ＜ｎ４のとき２フレーム毎
ｎ４≦ｋのとき毎フレーム
ＸＧＡ静止画を記録している。なお、ここで示した動きベクトルの値と静止画を記録する時間間隔の対応はこれに限ったものではない。
【００２５】
このときの動作を図８のフローチャートに示す。ステップ（Ｓ８０１）で動画撮影を開始したら、Ｉピクチャの記録中かどうかを判別し（Ｓ８０２）、Ｉピクチャの記録中であれば、動き検出回路２６からＣＰＵ２０では動きベクトルｋを読み出す（Ｓ８０３）。上述のｋの値と静止画記録間隔の関係により、静止画を記録すべきフレームであれば（Ｓ８０４）、静止画処理回路９、静止画圧縮・伸張処理回路１２、カードインターフェイス回路１６、メモリカード１７、カードドライバ１８を駆動し静止画を記録する（Ｓ８０５）。さらに動画記録系では次のピクチャを記録する（Ｓ８０６）。入力キー１９で動画記録終了が指示されれば（Ｓ８０７）、動画の記録を終了する（Ｓ８０８）。
【００２６】
本実施例で動画をディスク、静止画をメモリカードに記録するとしたが、記録媒体はこれに限ったものではなく、半導体メモリ、ハードディスク等でもよい。
【００２７】
（第二の実施例）
本発明の第二の実施例では、ＧＯＰの長さが一定ではなく、画像の動きベクトル量に応じて変化する点が、第一の実施例と異なる。
【００２８】
図１の動画圧縮・伸張処理回路１１のうち圧縮に関わる部分の内部構成を図１２に示す。なお、図中、バッファメモリ１１０１、メモリ１１１１は図１のバッファメモリ１０と共通化してもよい。
【００２９】
動画処理回路６の出力は、データバス２５を介して、バッファメモリ１１０１に格納される。バッファメモリ１１０１の出力は参照画像として、ブロック化回路１１０２でｍ×ｎ画素（ｍ、ｎは任意の整数）のサブブロックを形成する。ブロック化回路１１０２の出力は、動きベクトル検出回路１１０３でフレーム、あるいはフィールド間の動きベクトルを検出する。動きベクトル検出回路１１０３からは符号化するサブブロックの画素データが、メモリ１１１１からは符号化サブブロックの位置と動きベクトルによって求められた予測画像が減算器１１０４に入力され、減算器１１０４の出力として予測誤差画像が出力し、直交変換器１１０５に入力される。
【００３０】
直交変換器１１０５ではＤＣＴ（Ｄｉｓｃｒｅｔｅ  Ｃｏｓｉｎｅ  Ｔｒａｎｓｆｏｒｍ）やウェーブレット変換等のアルゴリズムにより変換される。直交変換器１１０５の出力は量子化器１１０６で量子化幅制御回路１１１４の制御を受けながら量子化し、可変長符号化器１１０７で符号化する。量子化幅制御回路１１１４では、可変長符号化器１１０７の結果に応じて、量子化幅を制御して、一定範囲のデータの符号量が固定長になるようにする。可変長符号化器１１０７の出力は符号化データとしてデータバス２５に出力される。
【００３１】
量子化器１１０６の出力は逆量子化回路１１０８にも入力され、逆量子化回路１１０８の出力は逆直交変換器１１０９で予測誤差データに変換される。予測誤差データは加算器１１１０で予測画像であるメモリ１１１１の出力と加算され復号画像となりメモリ１１１１に格納され、参照画像や予測画像として用いられるピクチャタイプ選択回路１１１２では、動きベクトル検出回路１１０３の結果により、シーンチェンジ等の動きの大きい場面では、Ｉピクチャの発生頻度を増やし、フレーム内符号化を頻繁に行い、逆に動きの少ない場面では、Ｉピクチャの発生頻度を減らす。
【００３２】
図６に動きベクトルの値ｋとＧＯＰ長と静止画記録間隔の関係の一例を示す。
【００３３】
ｎ１≦ｋ＜ｎ２のとき１ＧＯＰ＝２０フレーム
ｎ２≦ｋ＜ｎ３のとき１ＧＯＰ＝１５フレーム
ｎ３≦ｋのとき１ＧＯＰ＝１０フレーム
で、このとき、Ｉピクチャ１個おきにＳＴＩＬＬ＿ＲＥＣ信号を“Ｈｉ”としてＸＧＡ静止画を記録している。なお、ここで示した動きベクトルの値と１ＧＯＰの長さの対応はこれに限ったものではない。さらに、図６では発生したＩピクチャ１個おきに静止画を記録するとしたが、Ｉピクチャ発生に対する静止画記録頻度はこれに限ったものではない。
【００３４】
このときの動作を図９のフローチャートに示す。ステップ（Ｓ９０１）で動画撮影を開始したら、Ｉピクチャの記録中かどうかを判別し（Ｓ９０２）、Ｉピクチャの数をカウントする変数ｓをインクリメントする（Ｓ９０３）。Ｓ９０４でｓの値をみて静止画を記録すべきフレームであれば、即ち図６の場合、ｓ＝１であれば、図１の静止画処理回路９、静止画圧縮・伸張処理回路１２、カードインターフェイス回路１６、メモリカード１７、カードドライバ１８を作動させ静止画を記録する（Ｓ９０５）。次に、変数ｓをクリアし（Ｓ９０６）、動画記録系では次のピクチャを記録する（Ｓ９０７）。入力キー１９で動画記録終了が指示されれば（Ｓ９０８）、動画の記録を終了する（Ｓ９０９）。
【００３５】
（第三の実施例）
本発明の第三の実施例は、図１の撮像記録再生装置の再生、静止画印刷動作に関してのものである。本実施例のフローチャートを図１０に示す。
【００３６】
入力キー１９より再生動作が指示されたら（Ｓ１００１）、ＣＰＵ２０でディスクドライバ１５を駆動して、ディスク１４から信号を読み出し、ディスクインターフェイス回路１３で動画圧縮・伸張処理回路１１に送るための処理を行い、データバス２５を介して、動画圧縮・伸張処理回路１１に送り、記録時に圧縮したデータを伸張する。伸張した信号はバッファメモリ１０に格納された後、データバス２５を介して、動画処理回路６に送られ、ブランキング付加、色変調等を施し、ＤＡ変換器７でディジタル−アナログ（ＤＡ）変換を行い、付属モニタ８に再生画像を表示する。
【００３７】
動画再生中に入力キー１９より「一時停止」が指示されたら（Ｓ１００２）、ＣＰＵ２０で現在Ｉピクチャの伸張中かどうかを判断し（Ｓ１００３）、そうでなければ次にＩピクチャが現れるまで再生を続ける（Ｓ１００４）。Ｉピクチャの伸張中であれば、その画像で表示画をフリーズする（Ｓ１００５）。
【００３８】
ここで、入力キー１９より「印刷」が指示されたら（Ｓ１００６）、ＣＰＵ２０でフリーズ画の撮影時間を表すタイムコードｔｍを読み出す（Ｓ１００７）。続いてメモリカード１７のデータを検索して各静止画の撮影時間を表すタイムコードｔｓを読み出す（Ｓ１００８）。ｔｍとｔｓが一致すれば（Ｓ１００９）、ｔｓに対応する静止画を読み出す。一致しなければ、次の静止画のタイムコードを読み出し（Ｓ１０１１）、ｔｍとｔｓの差が充分小さければ（Ｓ１０１２）、フリーズしている動画と、検索した静止画が最も近いと判断してその静止画を読み出し（Ｓ１０１０）、表示中のフリーズした動画に差し替えてモニタ８に表示する（Ｓ１０１３）。
【００３９】
メモリカード１７のデータを再生する場合には、カードドライバ１８を駆動して、メモリカード１７から信号を読み出し、カードインターフェイス回路１６で静止画圧縮・伸張処理回路１２に送るための処理を行い、データバス２５を介して、静止画圧縮・伸張処理回路１２に送り、記録時に圧縮したデータを伸張する。伸張した信号はバッファメモリ１０に格納された後、データバス２５を介して、画面縮小回路５で画像サイズを縮小して動画処理回路６に送られ、ブランキング付加、色変調等を施し、ＤＡ変換器７でディジタル−アナログ（ＤＡ）変換を行い、付属モニタ８に再生画像を表示する。
【００４０】
この静止画を印刷するのであれば（Ｓ１０１４）、印刷動作を行う（Ｓ１０１７）。そうでなければ次の静止画を読み出す（Ｓ１０１５）。
【００４１】
画像を印刷する場合には、モニタ８に表示するために伸張され、バッファメモリ１０に格納されている信号を、データバス２５経由で印刷画像生成器２１に送り、色変換（例えばＹ／Ｒ−Ｙ／Ｂ−ＹからＣ／Ｍ／Ｙ／Ｋへ）、階調変換等の印刷のための処理を行い、データをヘッドドライバ２２に送る。このとき、ＣＰＵ２０の指示でモータドライバ２３を駆動して紙送りモータ２４を回転させ、印刷動作を行う。
【００４２】
（第四の実施例）
本発明の第四の実施例は、動画記録中に記録した静止画をとりあえず動画と共にディスク１４に書き込んでおき、動画を記録していない間に静止画をディスク１４からメモリカード１７に移動することを特徴とする。
【００４３】
本実施例のフローチャートを図１１に示す。
【００４４】
入力キー１９より動画撮影が指示されたら（Ｓ１１０１）、ＣＰＵ２０でＩピクチャの記録中かどうかを判別し（Ｓ１１０２）、Ｉピクチャの記録中であれば、動き検出回路２６からＣＰＵ２０では動きベクトルｋを読み出す（Ｓ１１０３）。ｋの値と静止画記録間隔の関係により、静止画を記録すべきフレームであれば（Ｓ１１０４）、静止画処理回路９、静止画圧縮・伸張処理回路１２を作動する（Ｓ１１０５）。さらに圧縮した静止画をディスク１４に記録する（Ｓ１１０６）。動画記録系では次のピクチャを記録する（Ｓ１１０７）。入力キー１９で動画記録終了が指示されれば（Ｓ１１０８）、動画の記録を終了する（Ｓ１１０９）。終了後はディスク１４への記録動作は行われていないので、この間にディスク１４に書き込まれた静止画データをメモリカード１７に移動させる。これにより、よしんば、メモリカード１７への書き込み速度が遅くとも、動画撮影を行わない間に、メモリカード１７への静止画の記録ができる。このときの詳細な動作は、他の実施例で説明したのと同様である。また静止画データをディスクからメモリカードに移動するとしたが、複写であっても構わない。
【００４５】
（第五の実施例）
本発明の第五の実施例は図２に適用されるが、動画静止画用の信号処理回路、動画静止画用の圧縮伸張回路を時分割で共用し、動画静止画用記録媒体を共通化し、プリンタを内部に持たずコネクタ２７で外部プリンタ、もしくはプリンタを駆動できるＰＣ（Ｐｅｒｓｏｎａｌ  Ｃｏｍｐｕｔｅｒ）等の機器と接続することを特徴とする。
【００４６】
なお、図２では、動画静止画でのあらゆる信号処理回路と記録媒体を共用化し、プリンタを外部のものとしたがこれに限ったものではなく、プリンタを図１のように内部に設けてもよい。また、動画静止画用の信号処理回路のみを共用化し、記録媒体は別でもよいし、記録媒体のみを共用化し、信号処理回路は動画静止画別でもよい。
【００４７】
ただし、動画静止画で記録媒体を共用化した場合、第四の実施例で説明した動作は、静止画をディスクからメモリカードに移動（複写）するのではなく、ディスク内の静止画専用領域に移動（複写）することになる。
【図面の簡単な説明】
【００４８】
【図１】本発明の適用図。
【図２】簡易な構成による本発明の適用図。
【図３】ＧＯＰを表す図。
【図４】Ｉピクチャでの制御信号を表す図。
【図５】第一の実施例に適用されるタイムチャート。
【図６】第二の実施例に適用されるタイムチャート。
【図７】動画と静止画の画素数を表す図。
【図８】第一の実施例の動作を表すフローチャート。
【図９】第二の実施例の動作を表すフローチャート。
【図１０】第三の実施例の動作を表すフローチャート。
【図１１】第四の実施例の動作を表すフローチャート。
【図１２】圧縮回路の構成を表す図。
【図１】
2006174025.tif 000003
【図２】
2006174025.tif 000004
【図３】
2006174025.tif 000005
【図４】
2006174025.tif 000006
【図５】
2006174025.tif 000007
【図６】
2006174025.tif 000008
【図７】
2006174025.tif 000009
【図８】
2006174025.tif 000010
【図９】
2006174025.tif 000011
【図１０】
2006174025.tif 000012
【図１１】
2006174025.tif 000013
【図１２】
2006174025.tif 000014